(57)【要約】【課題】  シンプルな構成で扉の開閉動作の信頼性が高いコンパクトな開閉機構を提供する。【解決手段】  水平方向Ｗに直線状に延びた主ガイドレール３１と、主ガイドレール３１を移動し、扉１１および１２を支持するリンク機構２１および２２とを有する開閉機構１０Ａを提供する。リンク機構２１および２２は、直線状のガイドレール３１をスライドすると共に、扉１１および１２のそれぞれを、開口部９に接した閉位置と、他の扉の前方で移動可能になる移動位置との間を前後に動かすことができる機能を備えている。リンク機構２１および２２は、直線状の主ガイドレール３１を移動すれば良いので、機構が簡単で、小さな力で移動させることが可能となる。【選択図】        図１
2006336189.tif 000002
【特許請求の範囲】
【請求項１】
開口部を所定の方向に分割して閉じることができるパネル状の複数の扉と、
前記所定の方向に直線状に延びた主ガイドと、
前記主ガイドを移動可能なリンク機構であり、１つの扉を、前記開口部に接した閉位置と、前記閉位置にある他の扉の前方で移動可能になる移動位置との間を前後に動かすリンク機構とを有する開閉機構。
【請求項２】
請求項１において、前記複数の扉のそれぞれに少なくとも１つが対応した複数の前記リンク機構を有する、開閉機構。
【請求項３】
請求項１において、前記複数の扉に一対一で対応した前記リンク機構を有し、前記リンク機構は共通の前記主ガイドを移動する、開閉機構。
【請求項４】
請求項１において、前記複数の扉のそれぞれの移動中の姿勢を制御する姿勢制御用ガイドと、
それぞれの前記扉と前記姿勢制御用ガイドを連結する姿勢制御部材とを有する開閉機構。
【請求項５】
請求項１において、前記リンク機構は、前後に伸び縮みする部分を備えている開閉機構。
【請求項６】
請求項１において、前記リンク機構は、前記主ガイドに沿って動く部分と、その部分に対して旋回する部分とを備えている開閉機構。
【請求項７】
収納室と、
この収納室の開口部を所定の方向に分割して閉じることができるパネル状の複数の扉と、
前記所定の方向に直線状に延びた主ガイドと、
前記主ガイドを移動可能なリンク機構であり、１つの扉を、前記開口部に接した閉位置と、前記閉位置にある他の扉の前方で移動可能になる移動位置との間を前後に動かすリンク機構とを有する収納庫。
【請求項８】
請求項７において、前記収納室の内部の環境条件を調整する手段を有する収納庫。
【請求項９】
請求項７において、前記複数の扉により前記開口部を閉じた状態において、前記収納室を密閉するシール構造を有する収納庫。
【発明の詳細な説明】
【技術分野】
【０００１】
本発明は、複数の扉により開口部を開閉する開閉機構およびそれを用いた収納庫に関するものである。
【背景技術】
【０００２】
玄米や豆類などが収容された袋体などの貯蔵物を貯蔵する収納庫が知られている。この収納庫では、扉が旋回することにより収納庫の開口部を開閉する観音開き方式、扉をスライドして開口部を開閉するスライド方式の機構が多く採用されている。また、特許文献１には、枠体に設けられた案内溝に取付機構を介してドアがスライド可能に取り付けられたドアシステムが開示されている。
【特許文献１】特開２００２−１３８７４１号公報
【発明の開示】
【発明が解決しようとする課題】
【０００３】
特許文献１に開示されたドアシステムは、ドアを閉じたときには、２枚のドアが水平方向に並んでおり、一般的なスライド方式のドアのようにドア同士が段違いになることがない。一方、ドアを開くときには、開く側のドアが案内溝に沿って前方に移動し、水平方向にスライド可能になる。
【０００４】
一方の扉を前方に移動した後に水平方向に移動する開閉機構は、閉じた状態では、観音開き方式の扉と同じ状態になるので密閉性に優れ、開くときはスライド方式の扉と同様に開閉できるので、前方に広いスペースを必要としない。したがって、観音開き方式とスライド方式との長所を備えた開閉機構を提供できる可能性がある。しかしながら、スライド可能な位置と、閉じた位置が異なるため、扉の荷重を支持し、扉をガイドするレールの形状が複雑になることにより幾つかの問題が発生する。その１つは、扉をスムーズに動かすことが難しいことである。
【０００５】
すなわち、レールが曲がっているために、扉の荷重を支持しながらレールを通過するローラあるいはそれに類する機構は、曲がったレールにスムーズに追従して動かなければならない。したがって、１つ１つのローラは径が小さいことが望ましい。ローラの径が小さいと抵抗が大きいので、複数のローラで扉を支持しようとすると、それらのローラに対応した分岐あるいは曲がりを設ける必要が生じる。各々のローラを、扉を閉じた位置とスライドする位置とに移動する必要があるからである。レールの分岐の数が増えると、レールの構造がさらに複雑になり、コストが増加する。それと共に、各々の分岐に各々のローラをスムーズに導けないと扉が閉じないので、開閉機構の信頼性を確保することが難しくなる。
【０００６】
一方、ローラの数が少なくて、ローラの径が小さいと、個々のローラに扉の荷重が集中するのでスムーズに回転しなくなる。扉の開閉に多大な力が必要になると、様々な部分に余分な荷重がかかるので、開閉機構の強度を上げる必要があり、コストアップになる。それと共に、扉の強度を上げると扉は重くなるので、スムーズに開閉することがいっそう難しくなる。
【０００７】
そこで、本発明においては、一方の扉を前方に移動した後に、水平方向に移動する開閉機構であって、扉をスムーズに移動することができる開閉機構を提供することを目的としている。そして、優れた密閉性と、スペース効率に加えて、扉の移動も簡単に行うことができ、さらに、低コストで提供できる開閉機構を提供することを目的としている。
【課題を解決するための手段】
【０００８】
本発明においては、一方の扉を前方に移動した後に、水平方向に移動する開閉機構であって、扉を支持しながら移動する主ガイドを直線状にした開閉機構を提供する。すなわち、本発明の開閉機構は、開口部を所定の方向に分割して閉じることができるパネル状の複数の扉と、所定の方向に直線状に延びた主ガイドと、主ガイドを移動可能なリンク機構であり、１つの扉を、開口部に接した閉位置と、閉位置にある他の扉の前方で移動可能になる移動位置との間を前後に動かすリンク機構とを有する。
【０００９】
本発明の開閉機構では、少なくとも１つの扉を、リンク機構を用いて閉位置と移動位置との間を移動することにより、直線状の主ガイドを用いて、一方の扉を前方に移動した後に、水平方向に移動する開閉機構を実現できる。そして、主ガイドを直線状にすることにより、ガイドを曲げることによるディメリットを全て取り除くことができる。例えば、主ガイドを走行するローラの径を大きくすることも可能であり、また、複数のローラを配置して扉を支持することも可能であり、扉をスライドするために、従来のスライド方式の扉を移動するために開発された技術を適用できる。このため、スムーズに扉をスライドすることができる。そして、ガイドを分岐する必要もないので、構成もシンプルになり、経済的である。扉を移動するときに分岐に引っ掛かるような問題も発生せず、信頼性も高い。
【００１０】
本発明の開閉機構は、主ガイドの構成がシンプルになるので、上記のメリットに加えて、様々な方法で扉が開閉する形態を提供できる。たとえば、１つの扉をリンク機構により前後に動かすだけで、他の扉をスライドさせることができる。その際、主ガイドを他の扉と共通で利用しても良く、他の扉用のガイドがあっても良い。リンク機構を備えていても、閉位置でスライドすることが可能であり、扉を移動位置に動かして移動させるか、閉位置のままでスライドさせるかをユーザに選択させるような開閉機構を提供することも可能である。このような形態の開閉機構は、２つの扉を真ん中に集めて収納庫の両側を開ける使い方もできる。
【００１１】
本発明の開閉機構は、複数の扉のそれぞれに少なくとも１つが対応した複数のリンク機構を有することが望ましい。複数の扉の姿勢を制御するという点では、１つの扉に対して複数のリンク機構を設けておくことが望ましい。
【００１２】
本発明の開閉機構の最もシンプルな形態の１つは、複数の扉に一対一で対応したリンク機構を設け、それらのリンク機構が共通の主ガイドを移動するようにアレンジしたものである。複数のリンク機構が共通の主ガイドを移動する形態においては、１つの扉を開いたときは、この１つの扉のリンク機構と他の扉のリンク機構とが干渉するまで開くことができる。したがって、扉が開閉のために移動できる範囲を大きくし、主レールまたは主ガイドを短くするには、複数の扉を、それぞれに一対一で対応するリンク機構により支持することが望ましい。
【００１３】
一対一で扉に対応したリンク機構の場合でも、１つのリンク機構により扉の複数の個所で支持することにより、移動中の扉の姿勢を制御できる。さらに、それぞれの扉の移動姿勢を制御するためには、姿勢制御用の姿勢制御用ガイドと、それぞれの扉と姿勢制御用ガイドを連結する姿勢制御部材とを設けることが望ましい。この姿勢制御の機構により、扉を閉位置と移動位置との間を動かす際に、扉を平行に動かすことも可能であり、また、閉位置の前後において、観音開き式のように旋回させて扉を開き始めたり、扉を閉じ終わるような動作をするように制御することも可能である。
【００１４】
リンク機構としては、蛇腹式、折り畳み式、さらには長孔を用いた機構などにより前後に伸び縮みする部分を備えている機構を採用できる。また、リンク機構としては、主ガイドに沿って動く部分と、その部分に対して旋回する部分とを備えた機構を採用できる。旋回するリンク機構の場合は、扉を閉めるときに、主ガイドの外側に旋回するように姿勢制御することにより、主ガイドを短くできる。
【００１５】
したがって、本発明の開閉機構を採用することにより、シンプルな構成で、観音開き方式とスライド方式のメリット、すなわち、密閉性が高く、扉の前のスペースが不要というメリットを備えた収納庫を提供できる。本発明の収納庫は、収納室と、収納室の開口部を所定の方向に分割して閉じることができるパネル状の複数の扉と、所定の方向に直線状に延びた主ガイドと、主ガイドを移動可能なリンク機構であり、１つの扉を、開口部に接した閉位置と、閉位置にある他の扉の前方で移動可能になる移動位置との間を前後に動かすリンク機構とを有する。この収納庫は、シンプルな機構で扉の開閉動作の信頼性が高く、低コストで提供できるものである。また、密閉性を向上できるので、収納室の内部の環境条件を調整する手段、例えば、エアコン、クーラあるいはヒータを設けることにより、恒温槽としての機能を付与するのに好適である。さらに、複数の扉により開口部を閉じた状態において収納室を密閉するシール構造を設けることにより密閉性をいっそう向上できる。
【発明を実施するための最良の形態】
【００１６】
（実施例１）
図１に、本発明に係る開閉機構を備えた収納庫の一例を示してある。この収納庫１は、内部に収納室５が形成された箱本体３と、箱本体３の開口部９を閉じることができる開閉機構１０Ａとを備えている。この開閉機構１０Ａは、箱本体３の前面の開口部９を水平方向（幅方向または水平方向（所定の方向））Ｗに分割して閉じることができるパネル状の２つの扉１１および１２と、水平方向Ｗに直線状に延びる主ガイドレール３１と、主ガイドレール３１を移動可能なリンク機構２１および２２とを有している。一方の扉１１はリンク機構２１により主ガイドレール３１から支持され、主ガイドレール３１に沿って水平方向Ｗに移動でき、他方の扉１２はリンク機構２２により主ガイドレール３１から支持され、主ガイドレール３１に沿って水平方向Ｗに移動できる。
【００１７】
これら２つのリンク機構２１および２２は、それぞれの扉１１および１２に一対一で対応したリンク機構であり、一方の扉１１を一方のリンク機構２１で支持し、他方の扉１２を他方のリンク機構２２で支持する。これらのリンク機構２１および２２の構成は共通であり、以下では、一方のリンク機構２１について説明する。リンク機構２１は、主ガイドレール３１を水平方向Ｗに移動する移動体４１と、この移動体４１と扉１１とを連結するアーム４３とを備えている。アーム４３は、移動体４１を中心に旋回し、扉１１を、開口部９を閉じる閉位置と、閉位置にある他方の扉１２の前方で移動可能になる移動位置との間を、前後方向に動かす。
【００１８】
図１（ａ）は、左右の扉１１および１２により開口部９を閉じた状態を示してある。本図では、左右の扉１１および１２が閉位置にある。左側の扉１１のリンク機構２１は、主レール３１の移動体４１が左端に位置し、連結アーム４３が左側（レール３１の外側）に旋回した状態になっている。右側の扉１２のリンク機構２２は、移動体４１が主レール３１の右端に位置し、連結アーム４３が右側（レール３１の外側）に旋回した状態になっている。連結アーム４３が旋回するタイプのリンク機構２１および２２は、扉１１および１２を閉じるときに連結アーム４３をレール３１の外側に旋回することで、レール３１の外側へ扉１１および１２の移動範囲を広げることができる。したがって、レール３１を短くできるメリットがある。両方の扉１１および１２が閉じている状態では、扉１１および１２は左右方向Ｗに並んで配置され、扉１１および１２の前面は左右方向Ｗに揃っている。また、扉１１および１２の後面は開口部９を密閉している。扉１１および１２の内側と、開口部の端面との間、および扉同士の間にパッキン２８を挟みこむようにデザインすることにより、さらに密閉性を高めることできる。
【００１９】
図１（ｂ）に、左側の扉１１を前方に動かす様子を示してある。この例では、扉１１の右側（開口部９の中央より）を手前（前方）に引いて、扉１１の左側を支点として扉１１を旋回しながら開ける様子を示している。このリンク機構２１では、移動体４１に対して連結アーム４３が旋回できるように取り付けられ、また、扉１１に対して連結アーム４３が旋回できるように取り付けられているので、扉１１を観音開き式の扉のように開き始めることができる。扉１１は、左側を手前に引くことにより、右側を支点として旋回しながら開けることも可能であり、また、左右を同時に手前に引くことにより平行に開けることも可能である。扉１１を閉めるときも同様の操作が可能である。また、右側の扉１２についても同様である。
【００２０】
図１（ｃ）に、扉１１のリンク機構２１の連結アーム４３をレール３１に対して直交する位置まで旋回した様子を示してある。扉１１が、反対側の扉１２の前方に移動できる移動位置まで動いた状態を示してある。扉１１が移動位置になると、リンク機構２１の移動体４１をレール３１に沿って動かすことにより、扉１１を他方の扉１２に重なる位置へ移動することができる。逆に、扉１２のリンク機構２２の移動体４１をレール３１に沿って動かすことにより、扉１２を扉１１と重なるように移動することも可能である。さらに、扉１１および扉１２を中央に動かして、扉１１および１２を中央で重ねて、開口部９の両側を開けることも可能である。
【００２１】
図１（ｄ）に、扉１１を、扉１２に重なる位置までスライドさせ、開口部９を開けた状態を示してある。この開閉機構１０Ａにおいては、扉１１のリンク機構２１の移動体４１と、扉１２のリンク機構２２の移動体４１とが同じ主ガイドレール３１の中を左右に動く。したがって、扉１１のリンク機構２１の移動体４１は、扉１２のリンク機構２２の移動体４１に当たる、あるいは干渉するまで、レール３１の内部を右側に移動することが可能であり、その位置まで扉１１を右側へ動かすことができる。このため、左右の扉１１および１２と、それらを動かすリンク機構２１および２２との取付け位置、主ガイドレール３１の長さなどは、左右の扉１１および１２で開口部９を閉鎖できると共に、いずれか一方の扉を動かして他方の扉に重ねたときに十分な開口を確保できるように予め設計しておく必要がある。
【００２２】
このように本発明の開閉機構１０Ａは、リンク機構２１および２２を用いて扉１１および１２を閉位置と移動位置との間で前後に動かしている。したがって、特許文献１に記載されたような枝溝を備えたレールは不要であり、リンク機構２１および２２の移動体４１を直線の主ガイドレール３１により左右に動かすだけで、一方の扉を前方に移動した後に、水平方向に移動する開閉機構を実現できる。このため、主ガイドレール３１は極めてシンプルな直線形状であり、リンク機構２１および２２の移動体４１は直線状のレールを動く機構を採用できる。例えば、複数のローラを連結した機構を移動体４１に採用することができる。扉１１および１２の荷重を複数のローラに分散させることにより、扉１１および１２をスムーズに、少ない力で左右に動かせるようになる。したがって、本発明により、観音開き式と、スライド式の両方の利点を備えた、すなわち、密閉性が良く、扉の前のスペースが不要な開閉機構であって、さらに、老若男女のだれにでも簡単に扉を動かすことができる開閉機構を提供できる。
【００２３】
（実施例２）
図２に、本発明の開閉機構を備えた収納庫の異なる例を示してある。この収納庫１は、内部に収納室５が形成された箱本体３と、箱本体３の開口部９を閉じることができる開閉機構１０Ｂとを備えている。この開閉機構１０Ｂも、箱本体３の前面の開口部９を水平方向（幅方向または水平方向（所定の方向））Ｗに分割して閉じることができるパネル状の２つの扉１１および１２と、水平方向Ｗに直線状に延びる主ガイドレール３１と、主ガイドレール３１を移動可能なリンク機構２１および２２とを有し、扉１１および１２とリンク機構２１および２２は一対一で対応している。したがって、実施例１と共通する構成については、同じ番号を付して説明を省略する。
【００２４】
この開閉機構１０Ｂのリンク機構２１および２２は、移動体４１と扉１１および１２とを接続する連結アーム４３が、旋回する代わりに、前後に伸び縮みする機構となっている。したがって、図２（ａ）に示した閉位置では、連結アーム４３が縮んだ状態となり、図２（ｂ）に示した開位置では、連結アーム４３が伸びた状態となる。本例の伸縮式の連結アーム４３は、２つのサブアーム４２ａおよび４２ｂを旋回可能に接続し、連結アーム４３が伸びた状態と、縮んだ状態を実現できる、折り畳み式の連結アームである。また、この連結アーム４３は、移動体４１および扉１１（または扉１２）と旋回できるように接続されている。このため、扉１１および１２を開閉するときは、実施例１の開閉機構１０Ａと同様に、右端または左端の側を引いたり、押したりすることにより、観音開き方式と同様に開閉することができる。また、両端を引いたり押したりすることにより、扉１１および１２を平行に開閉することも可能である。また、スライド式の扉と同様に、扉１１および１２の一方を開いたり、両方を開いたりすることができる。
【００２５】
そして、本例の開閉機構１０Ｂも、扉１１または１２を手前に開いてスライドする方式でありながら、直線状のレール３１により扉１１および１２を支持してスライドできる。このため、本例の開閉機構１０Ｂも、実施例１の開閉機構１０Ａと同様に、シンプルな構成で信頼性が高く、さらに、誰にでも容易に扉を動かすことができる開閉機構となっている。
【００２６】
（実施例３）
図３に、本発明の開閉機構を備えた収納庫の異なる例を示してある。この収納庫１は、内部に収納室５が形成された箱本体３と、箱本体３の開口部９を閉じることができる開閉機構１０Ｃとを備えている。この開閉機構１０Ｃも、箱本体３の前面の開口部９を水平方向（幅方向または水平方向（所定の方向））Ｗに分割して閉じることができるパネル状の２つの扉１１および１２と、水平方向Ｗに直線状に延びる主ガイドレール３１と、主ガイドレール３１を移動可能なリンク機構２１および２２とを有している。したがって、実施例１と共通する構成については、同じ番号を付して説明を省略する。
【００２７】
この開閉機構１０Ｃにおいては、１つの扉１１に対して２つのリンク機構２１ａおよび２１ｂを用意し、２つのリンク機構２１ａおよび２１ｂにより１つの扉１１を支持して、主ガイドレール３１に沿ってスライドできるようにしている。扉１２においても同様であり、２つのリンク機構２２ａおよび２２ｂにより支持し、共通の主ガイドレール３１に沿ってスライドできるようにしている。それぞれのリンク機構２１ａおよび２１ｂ、２２ａおよび２２ｂは、実施例２に示した開閉機構１０Ｂのリンク機構と共通する構成であり、レール３１をスライドする移動体４１と、移動体４１に対して伸縮する連結アーム４３とを備えている。したがって、本例の開閉機構１０Ｃにおいても、一方の扉１１または１２を前方に引き出して、主ガイドレール３１に沿って左右にスライドすることができる。
【００２８】
図３（ａ）に両方の扉１１および１２が閉位置にある状態を示してある。各々のリンク機構２１ａおよび２１ｂの連結アーム４３は独立して伸縮し、また、旋回も可能なので、上記の実施例の開閉機構と同様に、扉１１および１２を開閉するときは観音開き方式と同様に旋回させて閉めたり開けたりすることができる。
【００２９】
図３（ｂ）に、一方の扉１１を移動位置に動かして、さらに、他方の扉１２に重ねた状態を示してある。主ガイドレール３１が共通の場合、扉１１の右側のリンク機構２１ｂが、扉１２の左側のリンク機構２２ａに当たるまで、扉１１を右側へ動かすことができる。したがって、主ガイドレール３１は、左側の扉１１の左側のリンク機構２１ａと右側の扉１２の右側のリンク機構２２ｂとが移動する範囲をカバーする必要があり、主ガイドレール３１は、上記の実施例１および２に比較すると長くなる。その一方で、各々の扉１１および１２を、２つのリンク機構２１ａおよび２１ｂ、２２ａおよび２２ｂにより支持することができる。したがって、リンク機構２１および２２が、扉１１および１２の荷重をさらに分散して伝えるので、扉１１および１２の移動をスムーズに行なうことができる。また、伸び縮みするアーム４３の数も増えるので、アーム４３に対する負荷も減り、扉１１および１２を開閉するときの動きもさらにスムーズになる。
【００３０】
（実施例４）
図４ないし図６に、本発明の開閉機構を備えた収納庫の異なる例を示してある。この収納庫１は、内部に収納室５が形成された箱本体３と、箱本体３の開口部９を閉じることができる開閉機構１０Ｄとを備えている。この開閉機構１０Ｄも、箱本体３の前面の開口部９を水平方向（幅方向または水平方向（所定の方向））Ｗに分割して閉じることができるパネル状の２つの扉１１および１２と、水平方向Ｗに直線状に延びる主ガイドレール３１と、主ガイドレール３１を移動可能なリンク機構２１および２２とを有している。したがって、実施例１と共通する構成については、同じ番号を付して説明を省略する。
【００３１】
図４に、収納庫１の外観を示してある。この図では、主ガイドレール３１に沿って移動するリンク機構２１および２２や、後述するサブガイド３２に沿って移動するサブリンク機構２３および２４が、主ガイドレール３１やサブガイド３２の範囲で移動することを明確にするために、リンク機構２１〜２４を実線で示してある。この収納庫１は、ベース２と、その上に固定された断熱性の箱本体３と、箱本体３の内部の収納部（収納室）５の温度および湿度を制御できる空調ユニット６とを有している。空調ユニット６は、収納室５の酸素濃度などを制御できる環境制御ユニットであっても良い。また、冬季の暖房だけを考慮する場合は、ヒータユニットであっても良い。収納庫１は、さらに、ベース２の下部に、収納庫１を移動するためのキャスター７と、設置脚８とを備えている。設置脚８は、短くすることにより、キャスター７により収納庫１を支持して移動できる状態にでき、長くすることにより収納庫１を設置脚８で支持して移動しないようにしたり、収納庫１の傾きを調整したりすることができる。
【００３２】
図５に、開閉機構１０Ｄの上部の構成と、下部の構成を拡大断面図により示してある。本例の開閉機構１０Ｄは、扉１１および１２を上方からスライド可能に支持する主ガイドレール３１が設けられた上ガイド板１３と、扉１１および１２の下方の動きを補助的に支持するサブガイド３２が設けられた下ガイド板１４とを備えている。したがって、扉１１は、上方を主リンク機構２１により支持され、下方をサブリンク機構２３により支持されている。また、扉１２は、上方を主リンク機構２２により支持され、下方をサブリンク機構２４により支持されている。さらに、上ガイド板１３と、下ガイド板１４とには、扉１１および１２の移動中の姿勢を制御するための姿勢制御用ガイド溝３３および３４が形成されている。
【００３３】
図６（ａ）に扉１１および１２が閉位置にある状態を示してある。また、図６（ｂ）に、扉１１が移動位置にある状態を示してある。これらの図では、扉１１および１２、主ガイドレール３１、姿勢制御用ガイド溝３３、および主リンク機構２１および２２の関係および動きを明確にするために、これらを実線で示し、上ガイド板１３などの他の部分を破線で示してある。本例の開閉機構１０Ｄに採用されているリンク機構２１および２２は、実施例１に示したリンク機構と共通の構成であり、直線状の主ガイドレール３１を移動する移動体４１と、それに対して旋回する連結アーム４３とを備えている。したがって、扉１１および１２が開閉する動作は実施例１と共通である。移動体４１は、３つのローラ４４を備えており、それぞれの扉１１および１２の荷重を複数のローラ４４に分散して支持できるようになっている。このような移動方向に長い移動体４１は、湾曲したり、枝分かれしたガイドであると曲がらないので動かし難いが、本例のように直線状の主ガイドレール３１においては、スムーズに左右に動き、扉１１および１２を小さな力でスライドさせることができる。
【００３４】
開閉機構１０Ｄでは、さらに、扉１１の上方および下方に、移動中の姿勢を制御するための姿勢制御部材４５および４６が取り付けられている。扉１２についても同様である。姿勢制御部材４５および４６の先端には、連結ピン１７および１８が取り付けられており、それぞれのピン１７および１８が姿勢制御用ガイド溝３３および３４を通るようになっている。姿勢制御用ガイド溝３３は（下方の溝３４も同様である）は、主ガイドレール３１の前方に沿って平行に走る部分３３ａと、その両端から延びた円弧状の部分３３ｂとを備えている。したがって、リンク機構２１および２２の移動体４１が主ガイドレール３１の中を左右にスライドしている間は、扉１１および１２が姿勢制御部材４５を介して姿勢制御溝の直線部分３３ａにより主ガイドレール３１の前方（手前）になるようにガイドされるので、リンク機構２１および２２の連結アーム４３が前方に旋回して、扉１１および１２を移動位置で保持する。
【００３５】
一方、リンク機構２１および２２の移動体４１が主ガイドレール３１の端に到達すると、扉１１および１２は、姿勢制御部材４５を介して姿勢制御溝の円弧状の部分３３ｂにより主ガイドレール３１の後方になるようにガイドされるので、リンク機構２１および２２の連結アーム４３が主ガイドレール３１の外側を後方に旋回し、扉１１および１２を閉位置に保持する。
【００３６】
したがって、例えば、扉１１の動きを説明すると、図６（ａ）の位置から右端のノブ５１を持って手前に引くと、扉１１の右端が手前に旋回して観音開き式の扉のように開く。次に、右側に扉１１を動かすと、扉１１は姿勢制御部材４５により姿勢制御溝の円弧状の部分３３ｂに沿って動き、図６（ｂ）に示した移動位置に到達する。したがって、そのまま、右側に扉１１を動かすと開口部９の左側を開けることができる。扉１１を閉めるときは、上記の逆の動きになる。また、扉１２においても同様である。このように、姿勢制御部材および溝を設けることにより、ユーザはノブ５１を持って所望の方向に引くだけで扉１１を閉位置から前方の移動位置に動かしてスライドし、また、スライドしてから閉位置へ移動させることができる。扉１２も同様に制御されるので、本例においては、上記の実施例のように扉１１および１２を真ん中で重ねたりすることはできない。そのためには、主ガイドレール３１をそれぞれの扉毎に設ける必要があり、この形態も本発明に含まれる。
【００３７】
本例に示した姿勢制御溝の形状は一例であり、扉の外側が開くように旋回させたり、あるいは扉が平行に開くように移動させるような姿勢制御溝を設けることも可能である。いずれにしても、本発明の開閉機構は、スライドする移動位置から、閉位置に向かって後方に動かすことにより、扉を開口部の戸当たりに密着させることができる。したがって、密閉性が高い。さらに、本例の開閉機構１０Ｄにおいては、図５に示すように、各々の扉１１および１２の裏面の四方の縁部分に、シール構造となるパッキン２８が取り付けられており、戸当たり部分９ａとの間に隙間が発生し難いようになっている。パッキン２８は戸当たり部分９ａに取り付けることも可能である。開口部９の中央においては、収納室５の底面から天井に延びるようにセンターピラー２９が取り付けられており、その前面が戸当たり部分９ｂとなり、扉１１および１２の裏面の縦方向に延びた縁に取り付けられたパッキン２８と密着する。このため、扉毎に、その扉により開閉する開口部９をほぼ完全に密閉することができ、シール性能が強化されている。シール構造は、平面的なパッキンに限定されずに、１つまたは複数のフィンを当てて空気の流れを遮断するようなものなど、他の公知のシール構造を適用することができる。
【００３８】
なお、上記では、左右に２枚の扉１１および１２を備えた収納庫１を例に本発明の開閉機構を説明したが、扉の枚数は２枚に限定されずに、３枚以上であっても良い。また、移動位置と閉位置との間の扉の動きは上記に限定されない。上記に示したリンク機構の他に、蛇腹式や長孔を移動するような前後方向の長さを可変できる他の機構により、それぞれの扉１１および１２を、開口部に接した閉位置と、他の扉の前方で移動可能になる移動位置との間を前後に動かすことができる機能を、リンク機構に付与することができる。さらに、独立した収納庫に限定されず、家庭内の収納スペースを開閉するための機構などの他の用途にも本発明を適用できる。
【図面の簡単な説明】
【００３９】
【図１】本発明に係る開閉機構を有する収納庫の概略を示す図である。
【図２】異なるリンク機構を備えた開閉機構を有する収納庫の概略を示す図である。
【図３】１つの扉を２つのリンク機構により支持した開閉機構を有する収納庫の概略を示す図である。
【図４】さらに異なる開閉機構を有する収納庫の外観を示す図である。
【図５】図４に示す収納庫の開口部の戸当たり部分を、２つの扉が閉位置にある状態で示す断面図である。
【図６】図６（ａ）は図４に示す収納庫において左右の扉で開口部を閉じた状態を模式的に示す図、図６（ｂ）は左扉をスライドして開口部を開けた状態を模式的に示す図である。
【符号の説明】
【００４０】
１    収納庫
５    収納室
９    開口部
１０Ａ、１０Ｂ、１０Ｃ、１０Ｄ    開閉機構
１１、１２    扉
１７、１８    連結ピン
２１、２２    リンク機構
２３、２４    サブリンク機構
３１    主ガイドレール
３２    サブガイド
３３、３４    姿勢制御用ガイド溝
４５、４６    姿勢制御部材
【図１】
2006336189.tif 000003
【図２】
2006336189.tif 000004
【図３】
2006336189.tif 000005
【図４】
2006336189.tif 000006
【図５】
2006336189.tif 000007
【図６】
2006336189.tif 000008